(57)【要約】      （修正有）【課題】  適用上の制約を低減し、鉄筋のセパレータに対する組付操作を簡単に行える鉄筋固定具を提供する。【解決手段】  相対する金網３，３間に縦杆１ａと横杆１ｂを互いに止着して構成したセパレータ１を介在させ、該セパレータ１に前記縦杆１ａと横杆１ｂの交叉部に配した鉄筋２を固定するものであって、内嵌した前記横杆１ｂを弾性的に挟持する第一、第二一対の挟持片４，５を備えた溝状の挟持枠６を備え、前記一対の挟持片４，５の、前記横杆１ｂの軸線に沿う中間部に、前記挟持片４，５で横杆１ｂを挟持したときに前記縦杆１ａを係合させる切欠８を設ける。そして、前記第一挟持片４の、前記軸線方向の一端に、前記縦杆１ａとの間に介在させる前記鉄筋２ａの周側を部分的に係合する抱持片７を設ける。【選択図】 図２
2007113186.tif 000002
【特許請求の範囲】
【請求項１】
相対する金網間に縦杆と横杆を互いに止着して構成したセパレータを介在させ、該セパレータに前記縦杆と横杆の交叉部に配した鉄筋を固定する、のり枠用型枠の鉄筋固定具において、内嵌した前記横杆を弾性的に挟持する第一、第二一対の挟持片を備えた溝状の挟持枠を有し、該挟持枠の前記一対の挟持片の、前記横杆の軸線に沿う中間部に、前記挟持片で横杆を挟持したときに前記縦杆を係合させる切欠を設けると共に、前記第一挟持片の、前記軸線方向の一端に、前記縦杆との間に介在させる前記鉄筋の周側を部分的に係合する抱持片を設けた、のり枠用型枠の鉄筋固定具。
【発明の詳細な説明】
【技術分野】
【０００１】
のり（法）面に構築するコンクリート製ののり枠の型枠は、相対する金網間に縦杆と横杆を互いに止着して構成したセパレータ（フープタイ）を介在させ、該セパレータに前記縦杆と横杆の交叉部に配した鉄筋を固定した構成を採るが、本発明は、前記鉄筋を前記セパレータに固定する際に用いる、のり枠用型枠の鉄筋固定具に関するものである。
【背景技術】
【０００２】
中間部にセパレータの縦杆用の貫通孔を備えた主体片の一端側にセパレータの横杆用の溝状の係合部を設け、主体片の他の一端側に前記縦杆との間に係合した鉄筋を部分的に係合する弾性抱持片を立設した構成を採るものがあり、この従来構造のものは、構成上、貫通孔に縦杆を貫通させるようにして主体片部において鉄筋固定具をセパレータの縦杆に組合わせ、該縦杆と横杆との交叉部に移動させ（当該縦杆に沿って降下又は上昇させ）た後、縦杆を中心にして回動させて係合部内に横杆を内嵌させ、内嵌させたときに対峙する弾性抱持片と縦杆との間に鉄筋を係合させて固定するものである（例えば、特許文献１）。
【０００３】
【特許文献１】特開２００５−６１０１５号公報
【発明の開示】
【発明が解決しようとする課題】
【０００４】
前記従来構造のものは、セパレータに組付けるに際して主体片に設けた貫通孔に縦杆を貫通させる（相対的に）必要があるため、縦杆が直棒状のものでなければならず、従って、適用上の制約があり、また、縦杆に組付けた後、当該縦杆を中心に回動させて横杆と組付なければならないので組付け操作が煩雑である。
【０００５】
本発明は、従来例と較べ、適用上の制約を低減し、組付け操作を簡単に行うことのできる、のり枠用型枠の鉄筋固定具を提供することを目的として創案したものである。
【課題を解決するための手段】
【０００６】
相対する金網間に縦杆と横杆を互いに止着して構成したセパレータを介在させ、該セパレータに前記縦杆と横杆の交叉部に配した鉄筋を固定する、のり枠用型枠の鉄筋固定具において、内嵌した前記横杆を弾性的に挟持する第一、第二一対の挟持片を備えた溝状の挟持枠を有し、該挟持枠の前記一対の挟持片の、前記横杆の軸線に沿う中間部に、前記挟持片で横杆を挟持したときに前記縦杆を係合させる切欠を設けると共に、前記第一挟持片の、前記軸線方向の一端に、前記縦杆との間に介在させる前記鉄筋の周側を部分的に係合する抱持片を設けた、構成とするのである。
【発明の効果】
【０００７】
本発明によれば、一対の挟持片間に横杆を介在させると同時に該挟持片に設けた切欠に縦杆を係合させることができるから、縦杆の多少の曲がりも吸収して縦杆と横間との交叉部に簡単に組付けることができ、しかも、抱持片と縦杆とで鉄筋を確実に保持できる鉄筋固定具を提供できる。
【実施例】
【０００８】
図面は本発明に係る、のり枠用型枠の鉄筋固定具の一実施例を示し、図１は使用状態を示す略示正面図、図２は図１の一部拡大図、図３は図２の一部欠截平面図である。
【０００９】
本発明に係る、のり枠用型枠の鉄筋固定具Ａは、のり枠Ｃの型枠Ｆのセパレータ１，１間にわたした鉄筋２を前記セパレータ１を構成する縦杆１ａと横杆１ｂの交叉部（止着部）に固定するために用いるもので、前記のり枠用型枠Ｆは、それぞれ一対の前記縦杆１ａ，１ａと横杆１ｂ，１ｂをほぼ井桁状に配して互いに止着した前記セパレータ１を、相対して配置した金網３，３間に配してこれらを互いに結合して構成したものである。
【００１０】
鉄筋固定具Ａは、金属板をプレス加工して形成したもので、前記横杆１ｂを内嵌して挟持する第一、第二一対の挟持片４，５を備えた溝状（Ｕ字状）の挟持枠６と、該挟持枠６の前記第一挟持片４の前記横杆１ｂ軸線方向の一端に設けた抱持片７とで構成するものである。
【００１１】
前記挟持枠６は、前記一対の挟持片４，５の、長手方向（挟持したときの前記横杆１ｂの軸線方向）の中間部に、前記縦杆１ａを係合する切欠８を備えると共に、第二挟持片５の適所には、第一挟持片４方向に膨出する係止突条９を設けて両挟持片４，５による横杆１ｂの挟持状態を確実に保持するようにしたものである。
【００１２】
この挟持枠６の第一挟持片４の一端に連設した前記抱持片７は、前記縦杆１ａとで前記鉄筋２を挟持する主体部片７ａの自由端側をほぼＶ字状に屈曲して折返し部片７ｂを設け、該折返し部片７ｂの先端を二股状にして係合切欠７ｃを設けたものである。
【００１３】
しかして、挟持枠６を構成する一対の挟持片４，５間に前記横杆１ｂが、また、挟持片４，５に設けた切欠８に前記縦杆１ａがそれぞれ対峙するようにして、のり枠用型枠Ｆを構成するセパレータ１の縦杆１ａと横杆１ｂとの交叉部に固定金具Ａを配してセパレータ１方向に押し付けると、挟持片４，５間に横杆１ｂが該挟持片４，５の弾性付勢に抗して内嵌して（相対的に）、該挟持片４，５に挟持される一方、切欠８には縦杆１ｂが係合し（相対的に）、従って、固定金具Ａは、セパレータ１の縦、横杆１ａ，１ｂの交叉部に組付けられ、該組付け状態で固定金具Ａの抱持片７とセパレータ１の縦杆１ａとの間に鉄筋２の係合間隙ａが形成される。
【００１４】
そして、この係合間隙ａに、鉄筋２の周側を係合すると、鉄筋２は抱持片７の弾性変形によって、該抱持片７の主体部片７ａと縦杆１ａとで挟持される一方、抱持片７の折返し部片７ｂの先端が鉄筋２周側に圧接して、鉄筋２は抱持片７によって部分的に抱持され、かつ、先端に設けた係合切欠７ｃに鉄筋２周側に設けた突条２´が係合して鉄筋２は、セパレータ１の縦杆１ａと横杆１ｂの交叉部において確実に固定されるのである。
【図面の簡単な説明】
【００１５】
【図１】使用状態を示す略示正面図。
【図２】図１の一部拡大図。
【図３】図２の一部欠截平面図。
【符号の説明】
【００１６】
１      セパレータ
１ａ    縦杆
１ｂ    横杆
２      鉄筋
３      金網
４      第一挟持片
５      第二挟持片
６      挟持枠
７      抱持片
８      切欠
【図１】
2007113186.tif 000003
【図２】
2007113186.tif 000004
【図３】
2007113186.tif 000005